(57)【要約】【課題】掛止軸の掛止状態を良好に維持することができる壁掛構造を提供する。【解決手段】前側に表示面を有する表示装置の後面側に取付けられる４本の掛止軸は先端部に抜止部を設け、壁部に取付けられる壁取付体は、各掛止軸が挿入される複数の大孔及び該大孔の下部に連通し、抜止部に係合して掛止軸の抜出しを阻止する複数の小孔を設け、大孔及び小孔の連通部に、横方向へ突出し、掛止軸の上方への移動を規制する規制部を設け、掛止軸の掛止が解除されるのを防ぐことができるようにした。【選択図】図２
2013079669.tif 000002
【特許請求の範囲】
【請求項１】
被壁掛物に取付けられる複数の掛止軸及び壁部に取付けられ、前記掛止軸夫々が掛止される壁取付体を備える壁掛構造において、前記掛止軸の先端部には、径方向に突出して軸長方向への抜出しが阻止される抜止部を設けてあり、前記壁取付体は、前記掛止軸が挿入される複数の大孔及び該大孔の下部に連通し、前記抜止部に係合して前記掛止軸の軸長方向への抜出しを阻止する複数の小孔を有し、前記大孔及び小孔の連通部は、横方向へ突出し前記掛止軸の上方への移動を規制する規制部を有することを特徴とする壁掛構造。
【請求項２】
前記大孔及び小孔は、上下に長い長孔であり、長孔の対向する長辺の一方に前記規制部を配してある請求項１記載の壁掛構造。
【請求項３】
被壁掛物に取付けられる複数の掛止軸及び壁部に取付けられ、前記掛止軸夫々が掛止される壁取付体を備える壁掛構造において、前記掛止軸は、軸長方向の中間に、周方向に延びる溝を有し、該溝よりも先端側を、軸長方向への抜出しが阻止される抜止部としてあり、前記壁取付体は、前記掛止軸が挿入される複数の大孔及び該大孔の下部に連通し、前記抜止部に係合して前記掛止軸の軸長方向への抜出しを阻止する複数の小孔を有し、前記大孔及び小孔の連通部は、横方向へ突出し前記掛止軸の上方への移動を規制する規制部を有することを特徴とする壁掛構造。
【請求項４】
被壁掛物の横方向及び上下に離隔した４箇所に取付けられる４本の掛止軸及び壁部に取付けられ、前記掛止軸夫々が掛止される壁取付体を備える壁掛構造において、前記掛止軸の先端部には、軸長方向への抜出しが阻止される抜止部を設けてあり、前記壁取付体は、横方向へ離隔した２箇所に、上側２本の前記掛止軸が挿入される大孔及び該大孔の下部に連通し、前記抜止部に係合して前記掛止軸の軸長方向への抜出しを阻止する小孔を有し、且つ前記大孔及び小孔の連通部に、横方向へ突出し前記掛止軸の上方への移動を規制する規制部を有する孔を配してあり、前記２箇所よりも下側の２箇所に、下側２本の前記掛止軸が軸長方向への抜出しを規制可能に挿入される第２孔を配してあることを特徴とする壁掛構造。
【請求項５】
前記掛止軸は、前側に表示面を有する表示装置の後面側に取付けられる被取付部を有する請求項１から４のいずれか一つに記載の壁掛構造。
【発明の詳細な説明】
【技術分野】
【０００１】
本発明は液晶テレビジョン、プラズマテレビジョン等の薄型の表示装置、額縁、看板等を壁掛けするための壁掛構造に関する。
【背景技術】
【０００２】
表示装置を壁掛けするための壁掛構造は、表示装置の後面側で、横方向及び上下に離隔した４箇所に取付けられる４本の掛止軸と、壁部に取付けられ、前記掛止軸が掛止される四つの掛止凹部を有する壁取付体とを備える。壁取付体の四つの掛止凹部は、横方向間隔、及び上下間隔がＶＥＳＡ（ベサ）規格（Video Electoronics Standard Association）により規格化されている。
【０００３】
図１０は従来の壁掛構造の構成を示す説明図である。壁掛構造は、図１０に示すように、螺子孔１００を有する４本の掛止軸１０１に、前記螺子孔１００に螺入されるビス１０２にて掛止板１０３を固定し、該掛止板１０３が壁取付体１０４の掛止凹部１０５に掛止されるタイプと、特許文献１に記載されているように、４本の掛止軸の先端に抜止部を設け、該掛止軸が壁取付体の掛止凹部に直接掛止されるタイプとがある。
【先行技術文献】
【特許文献】
【０００４】
【特許文献１】特開２００８−６９９３７号公報
【発明の概要】
【発明が解決しようとする課題】
【０００５】
ところが、図１０に示す壁掛構造にあっては、掛止軸１０１に固定される掛止板１０３及び該掛止板１０３を掛止軸１０１に固定するビス１０２が必要であるため、部品点数が多く、コスト高になるし、また、掛止軸１０１の先端に掛止板１０３及びビス１０２が取付けられるため、表示装置の後面と壁面との間の離隔距離が長くなり、改善策が要望されていた。
【０００６】
また、特許文献１記載のように、先端に抜止部を有する掛止軸が掛止凹部に直接掛止されるものにあっては、掛止軸が取付けられている表示装置に上方への外力が加わった場合、掛止軸が掛止凹部から上方へ移動し、掛止が解除されることになり、改善策が要望されていた。
【０００７】
本発明は斯かる事情に鑑みてなされたものであり、主たる目的は掛止軸を壁取付体に直接掛止するタイプにおいて、掛止軸の掛止状態を良好に維持することができる壁掛構造を提供する点にある。
【課題を解決するための手段】
【０００８】
本発明に係る壁掛構造は、被壁掛物に取付けられる複数の掛止軸及び壁部に取付けられ、前記掛止軸夫々が掛止される壁取付体を備える壁掛構造において、前記掛止軸の先端部には、径方向に突出して軸長方向への抜出しが阻止される抜止部を設けてあり、前記壁取付体は、前記掛止軸が挿入される複数の大孔及び該大孔の下部に連通し、前記抜止部に係合して前記掛止軸の軸長方向への抜出しを阻止する複数の小孔を有し、前記大孔及び小孔の連通部は、横方向へ突出し前記掛止軸の上方への移動を規制する規制部を有することを特徴とする。
【０００９】
この発明にあっては、薄型の表示装置等の被壁掛物に掛止軸が取付けられ、壁取付体が壁部に取付けられる。被壁掛物が壁掛けされる際、掛止軸が大孔に挿入された状態で、被壁掛物の荷重にて掛止軸が連通部を経て小孔に移動することにより、掛止軸の抜止部が小孔の縁部に係合し、掛止軸の抜出しが阻止される。被壁掛物に上方への外力が加わった場合、掛止軸が連通部の規制部に当接し、上方への移動を規制することができるため、特別の部品を設けることなく掛止軸の掛止が解除されるのを防ぐことができ、安全性を簡易に高めることができる。
【００１０】
また、本発明に係る壁掛構造は、前記大孔及び小孔は、上下に長い長孔であり、長孔の対向する長辺の一方に前記規制部を配してある構成とするのが好ましい。
この発明にあっては、大孔、小孔、連通部及び規制部を一度に成形することが可能であるため、規制部を有する割に簡易にでき、コストを低減できる。
【００１１】
また、本発明に係る壁掛構造は、被壁掛物に取付けられる複数の掛止軸及び壁部に取付けられ、前記掛止軸夫々が掛止される壁取付体を備える壁掛構造において、前記掛止軸は、軸長方向の中間に、周方向に延びる溝を有し、該溝よりも先端側を、軸長方向への抜出しが阻止される抜止部としてあり、前記壁取付体は、前記掛止軸が挿入される複数の大孔及び該大孔の下部に連通し、前記抜止部に係合して前記掛止軸の軸長方向への抜出しを阻止する複数の小孔を有し、前記大孔及び小孔の連通部は、横方向へ突出し前記掛止軸の上方への移動を規制する規制部を有することを特徴とする。
【００１２】
この発明にあっては、薄型の表示装置等の被壁掛物に掛止軸が取付けられ、壁取付体が壁部に取付けられる。被壁掛物が壁掛けされる際、掛止軸が大孔に挿入された状態で、被壁掛物の荷重にて掛止軸が連通部を経て小孔に移動することにより、掛止軸の抜止部が小孔の縁部に係合し、掛止軸の抜出しが阻止される。被壁掛物に上方への外力が加わった場合、掛止軸が連通部の規制部に当接し、上方への移動を規制することができるため、特別の部品を設けることなく掛止軸の掛止が解除されるのを防ぐことができ、安全性を簡易に高めることができる。しかも、軸体に溝を設けるだけで、抜止部を有する掛止軸が形成されるため、抜止部を有する掛止軸を簡易に得ることができ、コストを低減できる。
【００１３】
また、本発明に係る壁掛構造は、被壁掛物の横方向及び上下に離隔した４箇所に取付けられる４本の掛止軸及び壁部に取付けられ、前記掛止軸夫々が掛止される壁取付体を備える壁掛構造において、前記掛止軸の先端部には、軸長方向への抜出しが阻止される抜止部を設けてあり、前記壁取付体は、横方向へ離隔した２箇所に、上側２本の前記掛止軸が挿入される大孔及び該大孔の下部に連通し、前記抜止部に係合して前記掛止軸の軸長方向への抜出しを阻止する小孔を有し、且つ前記大孔及び小孔の連通部に、横方向へ突出し前記掛止軸の上方への移動を規制する規制部を有する孔を配してあり、前記２箇所よりも下側の２箇所に、下側２本の前記掛止軸が軸長方向への抜出しを規制可能に挿入される第２孔を配してあることを特徴とする。
【００１４】
この発明にあっては、薄型の表示装置等の被壁掛物の４箇所に掛止軸が取付けられ、壁取付体が壁部に取付けられる。被壁掛物が壁掛けされる際、上側２本の掛止軸が大孔に挿入され、下側２本の掛止軸が第２孔に挿入された状態で、被壁掛物の荷重にて上側２本の掛止軸が連通部を経て小孔に移動することにより、掛止軸の抜止部が小孔の縁部に係合し、また、下側２本の掛止軸の抜止部が第２孔の縁部に係合し、各掛止軸の軸長方向への抜出しが阻止される。被壁掛物に上方への外力が加わった場合、上側２本の掛止軸が連通部の規制部に当接し、上方への移動を規制することができるため、特別の部品を設けることなく各掛止軸の掛止が解除されるのを防ぐことができ、安全性を簡易に高めることができる。また、上側２箇所の孔には規制部があり、下側２箇所の第２孔には規制部がないため、横方向及び上下に離隔した４箇所に取付けられている掛止軸を孔及び第２孔に容易に掛止することができ、被壁掛物の壁掛け作業性を高めることができ、しかも、被壁掛物が取外しされる際には、下側２本の掛止軸の抜止部を、規制部にて規制されることなく非係合にすることができるため、被壁掛物の取外しを容易に行うことができる。
【００１５】
また、本発明に係る壁掛構造は、前記掛止軸は、前側に表示面を有する表示装置の後面側に取付けられる被取付部を有する構成とするのが好ましい。
この発明にあっては、前側に表示面を有し、後面側に掛止軸が取付けられている表示装置が壁掛けされる際、掛止軸が大孔に挿入された状態で、表示装置の荷重にて掛止軸が連通部を経て小孔に移動することにより、掛止軸の抜止部が小孔の縁部に係合し、掛止軸の抜出しが阻止される。表示装置に上方への外力が加わった場合、掛止軸が連通部の規制部に当接し、上方への移動を規制することができるため、特別の部品を設けることなく掛止軸の掛止が解除されるのを防ぐことができ、安全性を簡易に高めることができる。
【発明の効果】
【００１６】
本発明によれば、大孔に挿入された掛止軸が連通部を経て小孔に移動し、掛止軸先端部の抜止部が小孔の縁部に係合し、掛止軸の抜出しを阻止することができるとともに、小孔に掛止されている掛止軸が上方へ移動するのを規制部にて規制することができ、掛止軸の掛止が解除されるのを防ぐことができ、安全性を高めることができる。
【図面の簡単な説明】
【００１７】
【図１】本発明に係る壁掛構造の構成を示す縦断側面図である。
【図２】本発明に係る壁掛構造の構成を示す分解斜視図である。
【図３】本発明に係る壁掛構造の壁取付体の構成を示す正面図である。
【図４】本発明に係る壁掛構造の掛止軸が壁取付体の孔に掛止されている状態を示す一部の斜視図である。
【図５】本発明に係る壁掛構造の掛止軸が壁取付体の孔に掛止される過程を示す説明図である。
【図６】本発明に係る壁掛構造における壁取付体の他の構成を示す正面図である。
【図７】本発明に係る壁掛構造における壁取付体の他の構成を示す平面図である。
【図８】本発明に係る壁掛構造における壁取付体の他の構成を示す側面図である。
【図９】図６のIX−IX線断面図である。
【図１０】従来の壁掛構造の構成を示す説明図である。
【発明を実施するための形態】
【００１８】
以下本発明をその実施の形態を示す図面に基づいて詳述する。
実施の形態１
図１は本発明に係る壁掛構造の構成を示す縦断側面図、図２は壁掛構造の構成を示す分解斜視図、図３は壁掛構造の壁取付体の構成を示す正面図、図４は壁掛構造の掛止軸が壁取付体の孔に掛止されている状態を示す一部の斜視図である。
【００１９】
図示した壁掛構造は、前側に表示面を有し、略直方体をなす表示装置Ａの後面側に取付けられる４本の掛止軸１と、壁部Ｂに取付けられ、掛止軸１が掛止される四つの孔２を有する壁取付体３とを備える。
【００２０】
掛止軸１及び孔２は、ＶＥＳＡ規格により決められた間隔で横方向及び上下に離隔して配されている。
【００２１】
掛止軸１は、基端側に嵌入部を有し、先端側の中心部に螺子孔１１を有する有底の円筒体からなり、表示装置Ａの後面側に開設された４箇所の取付孔に嵌入部が嵌入固定されている。掛止軸１の先端部外周には、孔２の縁部に係合する環状の溝１２が設けられ、該溝１２よりも先端側を、溝１２の底部よりも径方向外方に突出して軸長方向への抜出しが阻止される抜止部１３としてある。
【００２２】
壁取付体３は、ＶＥＳＡ規格により決められた孔２の横方向の間隔よりも長く、孔２の上下間隔よりも長い四角形に形成された金属板製であり、横方向両側には、上下両端に亘って厚さ方向へ変位する凸条部３１，３１が設けられ、凸条部３１，３１の上部及び下部に孔２が開設されている。凸条部３１，３１の高さは、抜止部１３の長さとほぼ等しく、壁部Ｂに取付けられている壁取付体３の孔２に掛止軸１の先端部が挿入されたとき、掛止軸１の先端が壁部Ｂに当接した状態で孔２の縁が溝１２と上下に対向するようになしてある。
【００２３】
凸条部３１夫々の横方向両側には図４に示すように複数のビス孔３２が開設され、ビス孔３２に挿入するビス４にて壁取付体３を壁部Ｂに取付けるようになしてある。尚、ビス孔３２は一部分にしか図示されていないが、実際には凸条部３１夫々の横方向両側に上下に離隔して複数開設されている。
【００２４】
孔２は掛止軸１の抜止部１３よりも大径の大孔２１及び該大孔２１の下部に連通部２２にて連通し、掛止軸１の抜止部１３よりも小径の小孔２３を有する上下に長い長孔である。
【００２５】
凸条部３１，３１の上部に配される孔２の連通部２２には、対向する長辺の一方から他方に向けて横方向に突出し、溝１２にて小孔２３に嵌入されている掛止軸１が上方へ移動するのを規制する規制部２４が設けられている。
【００２６】
規制部２４は、小孔２３に嵌入されている掛止軸１の周面と上下に対向し、掛止軸１の上方への移動を規制しているが、上下方向と交差する方向への移動は許容してある。規制部２４の小孔２３と対向する側は斜め上方へ傾斜し、掛止軸１が小孔２３から大孔２１へ移動する際の案内面になっている。
【００２７】
以上のように構成された壁掛構造は、掛止軸１が表示装置Ａの後面側に取付けられ、壁取付体３が複数本のビス４にて壁部Ｂに取付けられ、両側の凸条部３１，３１が壁部Ｂから離隔している。
【００２８】
表示装置Ａは、前側に表示面を有する表示部と、該表示部の周縁部及び後面側を覆うキャビネットとを備え、表示部の後面で、横方向に離隔した２箇所に、上下に長い帯板状の補強扞が取付けられており、該補強扞の上下２箇所、即ち、横方向及び上下に離隔した４箇所に掛止軸１の基端側が取付けられ、キャビネットにおける掛止軸１と対向する位置に貫通孔５が開設され、掛止軸１の抜止部１３及び溝１２が貫通孔５から外部へ露出している。
【００２９】
図５は壁掛構造の掛止軸１が壁取付体３の孔２に掛止される過程を示す説明図である。表示装置Ａが壁掛けされる場合、表示装置Ａを持ち上げ、壁取付体３と前後に対向する位置で表示装置Ａの４本の掛止軸１を、壁取付体３における四つの孔２の各大孔２１に挿入する（図５Ａ）。挿入された各掛止軸１は、先端が壁部Ｂに当接し、この当接状態で表示装置Ａを若干下げることにより掛止軸１の溝１２に大孔２１の下縁部が嵌入され、抜止部１３が大孔２１の縁部に係合し（図５Ｂ）、掛止軸１の軸長方向への抜出しが阻止される。この状態で表示装置Ａがさらに若干下げられることにより、上側２本の各掛止軸１は規制部２４に沿いつつ連通部２２を経て溝１２部が小孔２３に嵌入され、下側２本の各掛止軸１は連通部２２を経て溝１２部が小孔２３に嵌入され、各掛止軸１の抜止部１３が小孔２３の縁部に係合し（図５Ｃ）、掛止軸１の軸長方向への抜出しが阻止されるとともに、表示装置Ａの落下が阻止され、壁掛けされる。
【００３０】
壁取付体３の上側２箇所に開設されている各孔２の連通部２２には、小孔２３に嵌入されている掛止軸１の周面と対向する規制部２４があるため、表示装置Ａに上方への外力が加わっても掛止軸１の上方への移動が規制され（図５Ｄ）、掛止軸１が孔２から抜け出すのを阻止することができ表示装置Ａの壁掛け状態を維持することができる。
【００３１】
表示装置Ａに取付けられている掛止軸１は、先端部の周面に溝１２があり、溝１２よりも先端側を抜止部１３としてあるため、表示装置Ａの壁部Ｂからの離隔距離を比較的短くすることができ、表示装置Ａの壁掛け状態での安定性を高めることができる。
【００３２】
また、掛止軸１自体の溝１２部が孔２の縁部に係合して掛止されるため、掛止軸１とは別個の掛止部品及び掛止部品を掛止軸１に取付けるための取付部品が必要でなく、部品点数を削減でき、コストを低減できる。
【００３３】
また、掛止軸１には螺子孔１１が開設されているため、螺子孔１１に螺入されるビスにて既存の掛止板を取付けることができ、既存の掛止板にて表示装置を壁掛けすることも可能である。
【００３４】
また、掛止軸１は丸軸状であるため、略直方体をなす表示装置が、横方向に長い状態で壁掛けされる場合でも、また、縦方向に長い状態で壁掛けされる場合でも、同じ壁取付体に同様の壁掛け作業で掛止することができる。
【００３５】
実施の形態２
図６は壁掛構造における壁取付体３の他の構成を示す正面図、図７は壁掛構造における壁取付体３の他の構成を示す平面図、図８は壁掛構造における壁取付体３の他の構成を示す側面図、図９は図６のIX−IX線断面図である。
【００３６】
この壁取付体３は、横方向に長い帯板状をなす上側の壁取付体分体３ａ（図６Ａ）と、横方向に長い帯板状をなす下側の壁取付体分体３ｂ（図６Ｂ）とを備える。壁取付体分体３ａ，３ｂは、横方向に長い取付板部３３と、該取付板部３３の幅方向中央部に両端に亘って厚さ方向へ突出する凸条板部３４とが一体に成形されている。
【００３７】
凸条板部３４は、上下に対向する上板部３４ａ及び下板部３４ｂと、上板部３４ａ及び下板部３４ｂの先端に連なる先板部３４ｃとを有する。
【００３８】
取付板部３３の幅方向両側と、幅方向中央部とには長手方向に離隔して複数の挿通孔３５が開設されている。凸条板部３４における挿通孔３５と対向する位置には、挿通孔３５よりも若干大径の貫通孔３６が開設されている。
【００３９】
壁取付体分体３ａ，３ｂにおける凸条板部３４の両端側には、ＶＥＳＡ規格により決められた間隔で掛止凹部３７，３８が設けられている。
【００４０】
上側の壁取付体分体３ａにおける凸条板部３４の掛止凹部３７は、掛止軸１の直径よりも広幅の受入部３７ａと、該受入部３７ａの下部に掛止軸１の直径よりも狭幅の連通路３７ｂを経て連なり、掛止軸１の直径よりも狭幅の受止部３７ｃとを有し、連通路３７ｂの途中に、掛止軸１の上方への移動を規制する規制部３７ｄが設けられている。規制部３７ｄは、連通路３７ｂの対向する二つの辺を横方向（連通路の幅方向）へ屈曲させることにより形成されている。上板部３４ａにおける受入部３７ａと対向する位置には、受入部３７ａよりも若干広幅に欠除された欠除部３４ｄが設けられている。
【００４１】
下側の壁取付体分体３ｂにおける凸条板部３４の掛止凹部３８は、掛止軸１の直径よりも広幅の受入部３８ａ及び該受入部３８ａに同幅で連なる受止部３８ｂを有する。上板部３４ａにおける受入部３８ａと対向する位置には、受入部３８ａよりも若干広幅に欠除された欠除部３４ｄが設けられている。
【００４２】
各凸条板部３４の突出高さは、抜止部１３の長さとほぼ等しく、壁部Ｂに取付けられている壁取付体分体３ａ，３ｂの掛止凹部３７，３８に各掛止軸１の先端部が挿入されたとき、各掛止軸１の先端が各取付板部３３に当接した状態で掛止凹部３７，３８の受入部３７ａ，３８ａが各溝１２と上下に対向するようになしてある。
【００４３】
以上のように構成された上側及び下側の壁取付体分体３ａ，３ｂは、壁部Ｂにおける上下に離隔した位置に、挿通孔３５に挿通されるビスにて取付けられる。
【００４４】
後面側の４箇所に掛止軸１が取付けられている表示装置Ａが壁掛けされる場合、表示装置Ａを持ち上げ、壁取付体分体３ａ，３ｂと前後に対向する位置で表示装置Ａの４本の掛止軸１を、壁取付体分体３ａにおける二つの掛止凹部３７の受入部３７ａと、壁取付体分体３ｂにおける二つの掛止凹部３８の受入部３８ａとに挿入する。
【００４５】
この際、上側二つの受入部３７ａと、下側二つの受入部３８ａとは、上方へ開放されているため、４本の掛止軸１を受入部３７ａ，３８ａに容易に挿入することができ、表示装置の壁掛け作業性を高めることができる。
【００４６】
受入部３７ａ，３８ａに挿入された各掛止軸１は、先端が各取付板部３３に当接し、この当接状態で表示装置Ａを若干下げることにより、上側２本の掛止軸１の溝１２に連通路３７ｂの対向辺部が嵌入され、抜止部１３が連通路３７ｂの対向辺部に係合し、掛止軸１の軸長方向への抜け出しが阻止される。この状態で表示装置Ａがさらに若干下げられることにより、上側２本の掛止軸１は連通路３７ｂに沿いつつ下方へ移動し溝１２部に受止部３７ｃが嵌入され、下側２本の掛止軸１は受入部３８ａから下方へ移動し溝１２部に受止部３８ｂが嵌入され、各掛止軸１の抜止部１３が受止部３８ｂの縁部に係合し、掛止軸１の軸長方向への抜け出しが阻止されるとともに、表示装置Ａの落下が阻止され、壁掛けされる。
【００４７】
表示装置に上方への外力が加わった場合、上側２本の掛止軸１が連通路３７ｂの規制部３７ｄに当接し、上方への移動を規制することができるため、特別の部品を設けることなく各掛止軸１の掛止が解除されるのを防ぐことができ、安全性を簡易に高めることができる。
【００４８】
上側２箇所の掛止凹部３７には規制部３７ｄがあり、下側２箇所の掛止凹部３８には掛止軸１の上方への移動を規制する規制部がないため、横方向及び上下に離隔した４箇所に取付けられている掛止軸１を掛止凹部３７，３８に容易に掛止することができ、表示装置の壁掛け作業性を高めることができる。また、表示装置が取外しされる際には、下側２本の掛止軸１の抜止部１３を、規制部にて規制されることなく非係合にすることができるため、表示装置の取外しを容易に行うことができる。
その他の構成及び作用は実施の形態１と同様であるため、同様の部品については同じ符号を付し、その詳細な説明及び作用効果の説明を省略する。
【００４９】
尚、以上説明した実施の形態では、掛止軸１に環状の溝１２を設けたが、その他溝１２は、周方向の２箇所に周方向に延びる平行状に配してある非環状であってもよく、また、略Ｃ字形をなす非環状であってもよい。
【００５０】
また、以上説明した実施の形態では、壁取付体３の上側２箇所に、規制部２４を有する孔２を配し、下側２箇所に規制部２４がない孔２（第２孔）を配したが、その他、上側２箇所及び下側２箇所に規制部２４を有する孔２を配してもよい。また、実施の形態２においても同様である。
【００５１】
また、以上説明した実施の形態では、掛止軸１に溝１２を設けて抜止部１３を形成したが、その他、溝１２がなく、先端部が基体側よりも大径で、径方向へ突出する抜止部を有する構成としてもよい。また、抜止部１３は、全周に亘って形成されている他、周方向の一箇所又は複数箇所に形成されている構成であってもよいし、また、止め輪等を取付けることにより該止め輪等を抜止部としてもよい。
【００５２】
また、本発明に係る壁掛構造は、前側に表示面を有し、略直方体をなす薄型の表示装置が被壁掛物である他、額縁、看板等の比較的薄型の物品が被壁掛物であってもよく、掛止軸が取付けられる被壁掛物の物品は特に制限されず、表示装置と同様の壁掛けができる。
【符号の説明】
【００５３】
１    掛止軸
１２  溝
１３  抜止部
２    孔（第２孔）
２１  大孔
２２  連通部
２３  小孔
２４  規制部
３    壁取付体
【図１】
2013079669.tif 000003
【図２】
2013079669.tif 000004
【図３】
2013079669.tif 000005
【図４】
2013079669.tif 000006
【図５】
2013079669.tif 000007
【図６】
2013079669.tif 000008
【図７】
2013079669.tif 000009
【図８】
2013079669.tif 000010
【図９】
2013079669.tif 000011
【図１０】
2013079669.tif 000012